(57)【要約】      （修正有）【課題】設置と撤去が簡便であり、かつ丈夫な構造を有する組み立て式の簡易テント及び防虫ネットを提供する。【解決手段】テント布又はネットからなる、半円状又は半楕円状の両端面２と外周面１を有する半円柱状又は半楕円状に組み立てられる簡易テント又は防虫ネットであって、前記両端面の円弧に沿って連通した端部袋部３が設けられ、該袋部に円弧状に湾曲可能な支柱が挿入されることを特徴とする組み立て式の簡易テント又は防虫ネット。【選択図】図１
2008223272.tif 000002
【特許請求の範囲】
【請求項１】
テント布又はネットからなる、半円状又は半楕円状の両端面と外周面を有する半円柱状又は半楕円状に組み立てられる簡易テント又は防虫ネットであって、前記両端面の円弧に沿って連通した端部袋部が設けられ、該袋部に円弧状に湾曲可能な支柱が挿入されることを特徴とする組み立て式の簡易テント又は防虫ネット。
【請求項２】
さらに、外周面の任意の箇所に端部袋部と並行して１以上の中間袋部が設けられ、該袋部に円弧状に湾曲可能な支柱が挿入されてなる請求項１記載の簡易テント又は防虫ネット。
【請求項３】
端面の少なくとも一方にファスナーによる開閉部を有する請求項１又は２記載の簡易テント又は防虫ネット。
【請求項４】
ファスナーが、簡易テント又は防虫ネットを設置した際の端面の頂点から地面に向かって端面を二等分するように取り付けられてなる請求項３記載の簡易テント又は防虫ネット。
【請求項５】
支柱が繊維強化プラスチックからなる請求項１〜４いずれか記載の簡易テント又は防虫ネット。
【請求項６】
テント布又はネットの両端面及び外周面の地面と接する部位に、帯状の保護材が取り付けられてなる請求項１〜５いずれか記載の簡易テント又は防虫ネット。
【請求項７】
帯状の保護材が金属からなる複数のアイレットを有する請求項１〜６いずれか記載の簡易テント又は防虫ネット。
【請求項８】
金属からなる複数のアイレットを有する帯状の保護材が取り付けられた寒冷斜及び／又はビニールシートが、テント又はネットの外表面に重ねられ、固定されてなる請求項１〜７いずれか記載の簡易テント又は防虫ネット。
【発明の詳細な説明】
【技術分野】
【０００１】
本発明は、キャンプや行楽において日よけ等に用いる簡易テント及び農林業における害虫防除、水産加工や家庭菜園における防虫・防鳥等に用いられる防虫ネットに関する。さらには、網室、温室等としての利用も可能な構造を有する簡易テント及び防虫ネットに関する。
【背景技術】
【０００２】
従来、簡易テントや防虫ネットは、金属等の支柱で枠組みをし、その周りをテント布やネットで張り巡らせる構造を有していた。支柱として繊維強化プラスチック(ＦＲＰ)が用いられる簡易テントもあったが、金属ジョイントに差し込まれるような形で、常に骨組みとして使用されていた。従って、いずれも多くの支柱と金属等のジョイントが必要とされ、運搬の労力や組み立ての手間を要するものであった（特許文献１参照）。
【０００３】
例えば、簡易テントは、使用毎に設置と片づけが必要とされるため、金属の支柱が多用されると、その労力だけでなく、それらの変形で使用が困難となり、無理をして使用することにより怪我をする危険性が存在した。
【０００４】
また、家庭で用いられる程度の防虫・防鳥ネットは、支柱を地面に埋め込んで紐でひっかけてネットを張るような構造であり、何日も使用すると、支柱が折れたり倒れたり、また、紐が切れたりすることがあった。
【０００５】
一方、網室や温室等は、一旦設置されると、構造物自身が重量物であったり、支柱が地面に埋め込まれたりしているため、簡単に移動させることが困難であった。
【特許文献１】特開平８−１９９８５８号公報
【発明の開示】
【発明が解決しようとする課題】
【０００６】
本発明の課題は、設置と撤去が簡便であり、かつ丈夫な構造を有する組み立て式の簡易テント及び防虫ネットを提供することにある。
【課題を解決するための手段】
【０００７】
本発明の要旨は、テント布又はネットからなる、半円状又は半楕円状の両端面と外周面を有する半円柱状又は半楕円状に組み立てられる簡易テント又は防虫ネットであって、前記両端面の円弧に沿って連通した端部袋部が設けられ、該袋部に円弧状に湾曲可能な支柱が挿入されることを特徴とする組み立て式の簡易テント又は防虫ネットに関する。
【発明の効果】
【０００８】
本発明の簡易テント及び防虫ネットは、簡便に設置と撤去を行うことができ、かつ丈夫な構造を有するものである。
【発明を実施するための最良の形態】
【０００９】
本発明の組み立て式の簡易テント及び防虫ネットは、テント布又はネットからなる、半円状又は半楕円状の両端面と外周面を有する半円柱状又は半楕円状の形状を有するものであり、前記両端面の円弧に沿って連通した端部袋部が設けられ、該袋部に円弧状に湾曲可能な支柱が挿入されている点に特徴を有する。即ち、円弧状に湾曲可能な端部袋部に支柱を挿入するだけで、あるいは好ましくはさらに支柱挿入後、ファスナーを閉じると、両端面と外周面が縫製されたテント布又はネットが立体的に立ち上がるため、従来のように、支柱で枠組みを組み立てたり、支柱を地面に埋め込んだりする必要がなく、簡便に簡易テント又は防虫ネットを設置することができ、また撤去することができる。また、支柱を連結したり、地面に埋め込んだりする必要がないため、支柱が破損し難く、繰り返しの使用や長期使用においても、良好な耐久性を有する。
【００１０】
本発明において、テント布及びネットの材質は、用途によって適宜選択されるものであり、一般に用いられているテント布及びネットであれば、特に指定されないが、例えば、本発明の簡易テント及び防虫ネットは、野外で使用され雨に曝されることが多いため、ポリエステル製防水帆布等の防水帆布、ラッセル暴風網等が挙げられる。
【００１１】
支柱の材質としては、軽量かつ強度に優れており、可撓性及び耐候性にも良好である観点から、ガラス繊維強化プラスチック(ＧＦＲＰ)、カーボン繊維強化プラスチック(ＣＦＲＰ)、ケプラ繊維強化プラスチック(ＫＦＲＰ)等の繊維強化プラスチック(ＦＲＰ)が好ましい。好適に用いられ得る市販品としては、ダンポール(宇部日東化成社製)等が挙げられる。
【００１２】
支柱には、円弧状に湾曲可能な棒状のものを用いることができ、支柱自身にジョイント等の細工は特に必要とされないが、収納及び携帯が容易である観点から、直線状の支柱が好ましく、軽量化及び可撓性を高める観点から、中空の構造を有していることが好ましい。支柱の長さ及び直径は、テント又はネットの大きさによって適宜選択されるため、特に限定されない。
【００１３】
以下、本発明の簡易テント及び防虫ネットを、図１を参照しながら説明する。
【００１４】
支柱が挿入される端部袋部３は、両端面２の円弧に沿ってテント布又はネットに、縫製等によって設けられており、連通した筒状の形状を有しているため、双方向から支柱を挿入することができる。端部袋部の幅は、支柱の直径に応じて適宜選択されるが、支柱の直径の1.2〜1.3倍程度が好ましい。袋部の材質は特に限定されず、テント布又はネットと同じであっても異なっていてもよいが、機械的強度、耐久性及び耐候性の観点から、ポリエステル製防水帆布が好ましい。
【００１５】
端部袋部３に挿入される少なくとも2本の支柱を用いることにより、本発明の簡易テント又は防虫ネットを組み立てることができるが、テント又はネットの大きさによって、特に両端面間の長さＣが長い場合には、強度の観点から、適宜、袋部と支柱を追加することが好ましい。即ち、外周面１の任意の箇所に端部袋部３と並行して１以上の中間袋部４が設けられ、該袋部に円弧状に湾曲可能な支柱が挿入されることが好ましい。
【００１６】
端面２の少なくとも一方には、出入り口等として利用可能な、ファスナー５による開閉部を有することが好ましい。ファスナーは、簡易テント又は防虫ネットを設置した際の端面の頂点から地面に向かって端面を二等分するように取り付けられていることが好ましい。なお、全体の強度バランスや組み立て、片付けの容易さ等の作業性、テントとしての機能性等を考慮すると、両端面に開閉部を有することがさらに好ましい。
【００１７】
テント布及びネットの両端面２及び外周面１の地面と接する部位には、帯状の保護材６が取り付けられていることが好ましい。テント布やネットの裾は、地面と直接接するため、汚れやすく破損しやすいが、テトロンフェルト、ポリエステル製防水帆布等の保護材を地面と接する部位に、縫製等によって取り付けることにより、テント布及びネットを保護することができる。なかでも、テトロンフェルトは、汚れにくく、丈夫であり、微生物により分解したりすることもないため、好ましい。
【００１８】
両端面２及び外周面１の地面と接する部位に取り付けられる帯状の保護材６は、金属からなる複数のアイレット７を有していることが好ましい。アイレットの重さにより、裾のめくり上がりを防止することができ、場合によっては、その穴を使って簡易アンカーや杭を打ちつけて、簡易ネット又は防虫ネットを固定させることもできる。アイレットの材質や個数は特に限定されないが、一般的なアイレットの材質としては、真鍮、ステンレス等の金属が挙げられる。
【００１９】
また、本発明の簡易テント又は防虫ネットは、端部袋部に挿入した支柱の両端、好ましくはさらに中間袋部に挿入した支柱の両端をロープ８により繋いで固定する方法、設置した際の端面の少なくとも一方の頂点にロープ９を取り付け、ロープの端を端面の両側に均等に引っ張り、固定物や地面に打ちつけたアンカーに固定する方法等によって、より強固に固定することができる。
【００２０】
さらに、本発明の簡易テント及び防虫ネットの外表面に、用途の異なるシート、例えば寒冷斜やビニールシートを重ねることにより、簡易テント及び防虫ネットに新たな機能を付与したり、簡易テント及び防虫ネットを解体し再度、組立てることなく異なる用途に再利用したりすることができる。重ねるシートには、シートを固定するために、テント布及びネットと同様に、金属からなる複数のアイレットを有する帯状の保護材が取り付けられていることが好ましい。
【実施例】
【００２１】
次に、本発明を実施例に基づいてさらに詳細に説明するが、本発明はかかる実施例のみに限定されるものではない。
【００２２】
実施例１
幅2m、高さ1.5mの半円を端面とする長さ5mの、図１に示す形状の防虫ネットを、以下の方法により、2人で設置した。
外周面１と両端面２との境界部位に縫製された2箇所の端部袋部３と、中央の中間袋部４に、それぞれ直径12.5mm、長さ4mのＦＲＰ(ダンポール、宇部日東化成社製)製の支柱を挿入し、3本の支柱の両端を幅Ａと同じ長さのロープ８により固定し、出入り口となるファスナー５を閉じた。外周面１と両端面２の地面に接する部位には、テトロンフェルト製の帯状の保護材６が縫製され、かかる保護材６はアイレット７を有している。さらに、両端面の各頂点にロープ９を結びつけ、端面の両側に引っ張って、地面に打ち付けたアンカーに固定した。
防虫ネットの設置に要した時間は10分であった。
【００２３】
比較例１
幅2m、高さ2m、長さ3mの防虫ネットを、以下の方法により、5人で設置した。
鉄パイプとジョイントにより、まず設置予定地の四隅に鉄パイプを地面に打ち付けて建て、ジョイントを固定して他のパイプを結合し、直方体の枠組みを作製した。その枠組みを覆うように、あらかじめ縫製されたネットをかぶせ、紐で縛ってネットを固定した。
防虫ネットの設置には、1時間以上の時間を要した。
【産業上の利用可能性】
【００２４】
本発明の簡易テントは、キャンプや行楽において日よけ等に、防虫ネットは農林業における害虫防除、水産加工や家庭菜園における防虫・防鳥等に、それぞれ好適に用いることができ、さらに、網室、温室等としての利用も可能である。
【図面の簡単な説明】
【００２５】
【図１】図１は、組み立てた本発明の簡易ネット及び防虫ネットの一実施態様を上から見た斜視図である。
【符号の説明】
【００２６】
Ａ  幅
Ｂ  高さ
Ｃ  長さ
１  外周面
２  端面
３  端部袋部
４  中間袋部
５  ファスナー
６  保護材
７  アイレット
８  ロープ
９  ロープ
【図１】
2008223272.tif 000003